(57)【要約】【課題】倒れた場合の容器の回転防止性を有し、収納されたチューブ容器の固定が簡易で且つ固定安定性に優れるチューブ容器入り円筒状容器を提供することにある。【解決手段】円筒状の本体１３の両端に天蓋１１及び底部１２を設けた円筒状体１に、内容物を出すための口部とシール部２２とをその両端に有するチューブ容器２を収納し、前記チューブ容器２の前記口部を、前記円筒状体１の回転中心軸線５上からずれた位置に配する口部偏芯手段３を容器Ｃ内部に設けたチューブ容器入り円筒状容器。【選択図】図１
2006168780.tif 000002
【特許請求の範囲】
【請求項１】
円筒状の本体の両端に天蓋及び底部を設けた円筒状体に、内容物を出すための口部とシール部とをその両端に有するチューブ容器を収納し、
前記チューブ容器の前記口部を、前記円筒状体の回転中心軸線上からずれた位置に配する口部偏芯手段を容器内部に設けたチューブ容器入り円筒状容器。
【請求項２】
前記口部偏芯手段は、前記チューブ容器の前記口部の天面と接する載置部と、該チューブ容器の側面と接する支持枠とを有し、該口部の天面を前記載置部に載置した状態下に前記チューブ容器を該支持枠と前記円筒状の本体の壁との間で挟持するものである請求項１に記載のチューブ容器入り円筒状容器。
【請求項３】
前記口部偏芯手段が、前記天蓋又は前記底部とは別体に構成されたチューブ固定部材である請求項１または２記載のチューブ容器入り円筒状容器。
【請求項４】
前記円筒状体の前記底部は、その中央部に凹部が設けられており、且つ該底部の下端縁周囲には、前記円筒状の本体の下端縁を受ける当接受部が連設されており、前記チューブ固定部材は、前記凹部に嵌挿固定される形状の凸部を有する請求項３に記載のチューブ容器入り円筒状容器。
【請求項５】
前記円筒状体の前記天蓋は、天板部と該天板部下面の周縁の内部に垂設されている円筒状の垂下部とを有し、該垂下部が前記円筒状体の前記円筒状の本体の上端開口部に着脱可能に嵌挿され、前記チューブ容器のシール部を前記垂下部の内周面間で狭持固定している請求項１〜４の何れかに記載のチューブ容器入り円筒状容器。
【請求項６】
前記チューブ容器の前記シール部を前記円筒状の本体の内周壁面で狭持するとともに前記天蓋に接触させた請求項１〜５の何れかに記載のチューブ容器入り円筒状容器。
【請求項７】
前記チューブ容器のシール部幅が、前記円筒状の本体の内寸の９０％以上である請求項２〜６の何れかに記載のチューブ容器入り円筒状容器。
【発明の詳細な説明】
【技術分野】
【０００１】
本発明は、化粧品及び歯磨き剤等が充填されたチューブ容器を収納した、チューブ容器入り円筒状容器、詳しくは、倒れた場合の容器の回転防止性を有し、収納されたチューブ容器の固定が簡易で且つ固定安定性に優れるチューブ容器入り円筒状容器に関する。
【背景技術】
【０００２】
一般に、チューブ容器を収納する容器としては、直方体形状の箱型容器が使用されている。下記文献１には、チューブ容器を簡易に安定に固定する箱型容器が開示されている。
また、化粧品及び歯磨き剤等が充填されたチューブ容器は、見栄えの良い容器に収納されていることが求められている。
【０００３】
【特許文献１】特開２００４−１０１２０号公報
【発明の開示】
【発明が解決しようとする課題】
【０００４】
化粧品及び歯磨き剤等が充填された比較的小さなチューブ容器を収納する容器としては、通常、円筒状の容器は用いられていない。円筒状容器は、見栄えがよく、チューブ容器の収納容器として適当なものであるが、倒れた場合に転がり易く、また、チューブ容器を簡易に且つ安定的に収納固定することは容易でない。
【０００５】
従って、本発明の目的は、倒れた場合の容器の回転防止性を有し、収納されたチューブ容器の固定が簡易で且つ固定安定性に優れるチューブ容器入り円筒状容器を提供することにある。
【課題を解決するための手段】
【０００６】
本発明は、天蓋及び底部を有する円筒状体に、円筒状の本体の両端に天蓋及び底部を設けた円筒状体に、内容物を出すための口部とシール部とをその両端に有するチューブ容器を収納し、前記チューブ容器の前記口部を、前記円筒状体の回転中心軸線上からずれた位置に配する口部偏芯手段を容器内部に設けたチューブ容器入り円筒状容器を提供することにより、上記目的を達成したものである。
【発明の効果】
【０００７】
本発明のチューブ容器入り円筒状容器は、前記チューブ容器の前記口部を、前記円筒状体の回転中心軸線上からずれた位置に配する口部偏芯手段を容器内部に設けたため、前記チューブ容器入り円筒状容器が倒れて転がった場合にも、回転が速やかに止まる回転防止性を有している。また、特定の形状を有する前記口部偏芯手段を容器内部に設けているので、前記チューブ容器の固定が簡易で且つ固定安定性に優れている。
【発明を実施するための最良の形態】
【０００８】
以下、本発明のチューブ容器入り円筒状容器の好ましい一実施形態について、図を参照しながら説明する。
【０００９】
本実施形態のチューブ容器入り円筒状容器Ｃは、図１及び図６に示すように、円筒状の本体１３の両端に天蓋１１及び底部１２を設けた円筒状体１に、内容物を出すための口部とシール部２２とをその両端に有するチューブ容器２を収納し、前記チューブ容器２の前記口部を、前記円筒状体１の回転中心軸線５上からずれた位置に配する口部偏芯手段３を容器Ｃ内部に設けている。
【００１０】
本実施形態の前記チューブ容器入り円筒状容器Ｃにおける前記円筒状体１について、更に説明すると、図１及び図６に示すように、該円筒状体１は、前記天蓋１１、前記底部１２及び円筒状の本体１３から形成されている。
前記円筒状体１の前記天蓋１１は、図６に示すように、天板部１１aと該天板部下面の周縁の内部に垂設されている円筒状の垂下部１１ｂとを有し、図５に示されるように、該垂下部１１ｂが前記円筒状体１の前記円筒状の本体１３の上端開口部１３ａに着脱可能に嵌挿され、前記チューブ容器のシール部２２を前記垂下部１１ｂの内周面間で狭持固定するように形成されている。ここで、前記シール部２２は前記円筒状体１のほぼ中央で保持されるように、前記チューブ容器２のシール部幅ｍが、前記円筒状の本体１３の内寸Ｍの９０％以上の幅を有している。更に、具体的には、前記垂下部１１ｂの内寸をＮとした場合、図５に示すように、０．９Ｎ≦ｍ≦Ｎの関係が成り立つように、前記シール部幅ｍを決めることが好ましい。
前記天板部１１aの外周面の一部には、図１及び図４に示すように、一対の平面部１４、１４が設けられており、これは、転がりを防止するためである。
【００１１】
前記円筒状体１の前記円筒状の本体１３は、図６に示すように、円筒形状であり、透明な樹脂板から形成されていて、前記上端開口部１３ａと下端開口部１３ｂを有している。
【００１２】
前記円筒状体１の前記底部１２は、図６に示すように、その中央部に凹部１２ａが設けられており、且つ該底部１２の下端縁周囲には、前記円筒状の本体１３の下端縁を受ける当接受部１２ｂが連設されている。
前記底部１２の外周面上には、４つの突起部１２ｃ、１２ｃ…が設けられている。
そして、前記底部１２は、図１及び図４に示されるように、前記円筒状の本体１３の前記下端開口部１３ｂに嵌挿され、前記４つの突起部１２ｃ、１２ｃ…が、前記円筒状の本体１３の下端部に設けられている４つの対応する切開部１３ｃ、１３ｃ…に、それぞれ嵌合されて、該円筒状の本体１３に離脱不能に固定されるようになっている。
【００１３】
前記底部１２の前記当接受部１２ｂの外周面の一部にも、転がりを防止するため、図１及び図４に示すように、一対の平面部１４、１４が、前記天蓋１１の一対の前記平面部１４、１４と対応するように設けられている。
【００１４】
本実施形態の前記チューブ容器入り円筒状容器Ｃにおける前記チューブ容器２は、化粧品等を内容物とするもので、図１及び図４に示すように、上端部に前記口部を有しており、下端部は扁平形状のシール部２２となっている。尚、本実施形態の前記チューブ容器入り円筒状容器Ｃにおける前記口部には、通常のチューブ容器と同様に、キャップ２１が被されている。
【００１５】
本実施形態の前記チューブ容器入り円筒状容器Ｃにおける前記口部偏芯手段３は、前記天蓋１１又は前記底部１２とは別体に構成されたチューブ固定部材３であり、一枚の透明な樹脂板で一体的に形成されている。
【００１６】
本実施形態の前記チューブ容器入り円筒状容器Ｃにおける前記チューブ固定部材３について説明すると、該チューブ固定部材３は、該チューブ容器入り円筒状容器Ｃに収納固定される前記チューブ容器２の前記口部の天面と接する載置部３２と、該チューブ容器２の側面と接する支持枠３３とを有し、該口部の天面を前記載置部３２に載置した状態下に前記チューブ容器２を該支持枠３３と前記円筒状の本体１３の壁との間で挟持するものである。尚、本実施形態においては、前記キャップ２１の天面が前記載置部３２に載置され、前記キャップ２１の側面及び前記チューブ容器２の本体の側面が前記支持枠に固定される。
【００１７】
前記チューブ固定部材３は、図２及び図３に示すように、固定部３１を有しており、該固定部３１は、前記底部１２の前記凹部１２ａに嵌挿固定される直方体形状の凸部３１ａを有している。
前記チューブ固定部材３の前記載置部３２は、図２及び図４に示すように、立ち上がり部３４を介して前記固定部３１と連設している。前記載置部３２は、図２及び図５に示すように、前記チューブ容器２の前記キャップ２１の天面の形状に対応して湾曲した凹部形状を有している。
【００１８】
前記チューブ固定部材３の前記支持枠３３は、図２及び図４に示すように、前記載置部３２と連設して立ち上がっており、前記チューブ容器２の形状に対応して湾曲した凹部形状を有している。前記支持枠３３の前記キャップ２１を支持する部分には、図３に示すように、該キャップ２１を押圧固定する一対の突起部３３ａ、３３ａが設けられている。また、前記チューブ容器２の扁平なチューブ部分を支持する面には、図２に示すように、直方体形状の凹部が設けられている。
【００１９】
前記チューブ固定部材３の前記立ち上がり部３４を含む湾曲面３５の形状は、図１に示すように、前記円筒状の本体１３の壁部内面と対応しており、前記チューブ固定部材３を該円筒状体１の内部に挿入した場合には、前記湾曲面３５は、前記円筒状の本体１３の壁部の内面と当接している。
【００２０】
前記チューブ固定部材３は、上述したように、前記円筒状体１の前記底部１２に固定され、且つ前記円筒状の本体１３の壁部の一部の内面とも当接するため、前記円筒状体１の内部で回転することなく不動に固定され、且つその上端が天蓋１１に向けられた状態で、前記円筒状体１内に固定される。
【００２１】
本実施形態の前記チューブ容器入り円筒状容器Ｃにおける前記チューブ容器２は、図１に示すように、前記チューブ固定部材３を介して、前記チューブ容器２の前記キャップ２１を、前記円筒状体１の回転中心軸線５上からずれた位置に配して不動に固定されている。そのため、前記チューブ容器２の重心４は、図４に示すように、前記前記円筒状体１の前記回転中心軸線５上からずらして固定されている。
【００２２】
以下に、上述した本実施形態の前記チューブ容器入り円筒状容器Ｃにおける前記チューブ容器２の前記円筒状体１への収納固定方法の要部の概略を説明する。
まず、前記チューブ容器２の前記キャップ２１の天面を、前記チューブ固定部材３の前記載置部３２に載置すると共に、前記キャップ２１及び前記チューブ容器２の本体の側面を、前記チューブ固定部材３の前記支持枠３３に固定する。
一方、前記円筒状体１の前記天蓋１１を、前記円筒状の本体１３の前記上端開口部１３ａから外す。
【００２３】
次に、前記チューブ固定部材３を、前記チューブ容器２と共に、前記上端開口部１３ａから前記円筒状の本体１３の内部へ、前記チューブ固定部材３の前記湾曲面３５を、前記円筒状の本体１３の壁部の内面と当接させながら挿入し、前記固定部３１の前記凸部３１ａを前記円筒状体１の前記底部１２の前記凹部１２ａへ嵌挿固定する。
更に、前記天蓋１１を、その天板部１１aの一対の前記平面部１４、１４が、前記底部１２の一対の前記平面部１４，１４と対応するように、前記円筒状の本体１３の前記上部開口部１３ａに嵌挿する。
【００２４】
最後に、粘着テープ６を用いて、前記天蓋１１の一対の前記平面部１４，１４において、前記天蓋１１と前記円筒状の本体１３とを接着固定する。
尚、前記粘着テープ６は必須ではない。即ち、本実施形態のチューブ容器入り円筒状容器Ｃは、前記チューブ固定部材３の前記湾曲面３５を、前記円筒状の本体１３の壁部の内面と当接させ、前記チューブ容器２の前記シール部２２を前記垂下部１１ｂの内周面間で狭持固定させているので、前記円筒状の本体１３がこれらによって支えられることとなり、結果、外力によってゆがみにくい。従って、前記粘着テープ６がなくとも、前記天蓋１１が外れにくい。
このように、前記チューブ容器２は、図１に示すように、前記円筒状体１内に不動の状態で収納固定される。
【００２５】
本実施形態のチューブ容器入り円筒状容器Ｃは、前記チューブ容器２の前記口部を、前記円筒状体１の回転中心軸線５上からずれた位置に配する前記口部偏芯手段（チューブ固定部材）３を有しているため、前記チューブ容器２の固定が簡易であり、且つ前記チューブ容器入り円筒状容器Ｃが倒れて転がった場合にも、回転が速やかに止まる回転防止性を有している。また、前記円筒状体１の前記天蓋１１及び前記底部１２の外周面上に、それぞれ設けられている一対の前記平面部１４、１４によっても、前記チューブ容器入り円筒状容器Ｃには回転防止性が付与されている。
【００２６】
本実施形態のチューブ容器入り円筒状容器Ｃは、上述したように、前記口部偏芯手段（チューブ固定部材）３を有しており、倒れて転がった場合にも、回転は速やかに停止するため、前記天蓋１１及び前記底部１２も前記円筒状体１から外れにくい。
本実施形態のチューブ容器入り円筒状容器Ｃの前記チューブ容器２は、その扁平形状の側面が、前記口部偏芯手段（チューブ固定部材）３によって、透明な前記円筒状の本体１３の壁部の内面近傍に収納固定されているため、該円筒状の本体１３の外部からの見栄えが良い。
【００２７】
本発明のチューブ容器入り円筒状容器Ｃの実施形態は、前述した実施形態に制限されることなく、本発明の趣旨を逸脱しない限り適宜変更が可能である。
本実施形態においては、前記円筒状体１の前記円筒状の本体１３と前記円筒状体１の前記底部１２とは、それぞれ別体に形成されているが、一体に形成しても良い。
本実施形態においては、前記チューブ固定部材３と前記円筒状体１の前記底部１２とは、及び前記チューブ固定部材３と前記円筒状体１の前記円筒状の本体１３とは、それぞれ別体に形成されているが、それぞれ一体に形成しても良い。
【００２８】
本実施形態においては、前記チューブ固定部材３は、前記円筒状体１に収納される前に、前記チューブ容器２が固定されるように形成されているが、前記チューブ容器２が前記円筒状体１に収納された状態で不動に固定されているように形成されていればよい。
本実施形態においては、前記チューブ容器２の前記キャップ２１の側面及び前記チューブ容器２の本体の側面が前記支持枠３３に固定されているが、いずれかの側面のみを固定するものでも良い。
【００２９】
本実施形態においては、前記チューブ容器２の前記口部には前記キャップ２１が被されているが、該口部には該キャップ２１は被されていない場合もある。この場合には、前記チューブ容器２の使用時に前記口部を開口して、前記キャップ２１をするものである。
【００３０】
本実施形態においては、前記チューブ容器２の前記シール部２２を、前記天蓋１１の前記垂下部１１ｂの内周面間で狭持固定しているが、前記円筒状の本体１３の内周壁面で狭持すると共に前記天蓋１１に接触させても良い。
【００３１】
本実施形態においては、前記円筒状体１の前記円筒状の本体１３及び前記チューブ固定部材３は、透明な材質から形成されているが、透明である必要はない。
【図面の簡単な説明】
【００３２】
【図１】図１は、本発明のチューブ容器入り円筒状容器の好ましい一実施形態の斜視図である。
【図２】図２は、図１に示す本実施形態からチューブ容器とチューブ固定部材とを取り出した状態の斜視図である。
【図３】図３は、図２に示す本実施形態からチューブ容器を分離した状態である。
【図４】図４は、図１におけるＸ−Ｘ線断面図並びに天蓋及び底部の平面図を示す。
【図５】図５は、図１におけるＹ−Ｙ線断面図である。
【図６】図６は、図１に示す本実施形態のチューブ容器入り円筒状容器におけるチューブ容器及びチューブ固定部材を除いた分解斜視図である。
【符号の説明】
【００３３】
１      円筒状体
１１    天蓋
１１a  天板部
１１ｂ  垂下部
１２    底部
１２ａ  凹部
１２ｂ  当接受部
１２ｃ  突起部
１３    円筒状の本体
１３ａ  上端開口部
１３ｂ  下端開口部
１３ｃ  切開部
１４    平面部
２      チューブ容器
２１    キャップ
２２    シール部
３      チューブ固定部材（口部偏芯手段）
３１    固定部
３１ａ  凸部
３２    載置部
３３    支持枠
３３ａ  突起部
３４    立ち上がり部
３５    湾曲面
４      重心
５      回転中心軸線
６      粘着テープ
Ｃ      チューブ容器入り円筒状容器
Ｍ      円筒状の本体の内寸
Ｎ      垂下部の内寸
ｍ      シール部幅
【図１】
2006168780.tif 000003
【図２】
2006168780.tif 000004
【図３】
2006168780.tif 000005
【図４】
2006168780.tif 000006
【図５】
2006168780.tif 000007
【図６】
2006168780.tif 000008